(57)【要約】【課題】グリップに装飾的な効果を与えると共に、グリップを把持した指に固いものが当接して不快に感じることがなく、またグリップにゴミやホコリが溜まることのない構造とすることを目的とする。【解決手段】軸筒の把持部にグリップを有した筆記具であって、前記グリップを、前記軸筒の把持部の表面色と異なる色で軟質材からなる内グリップと、該内グリップに被覆した透明性を有する軟質材からなる外グリップとの二重構造とし、前記内グリップの側面に形成した貫通孔より前記軸筒の把持部の表面色を視認可能としたことを特徴とするグリップを有した筆記具。【選択図】図２
2008230180.tif 000002
【特許請求の範囲】
【請求項１】
軸筒の把持部にグリップを有した筆記具であって、前記グリップを、前記軸筒の把持部の表面色と異なる色で軟質材からなる内グリップと、該内グリップに被覆した透明性を有する軟質材からなる外グリップとの二重構造とし、前記内グリップの側面に形成した貫通孔より前記軸筒の把持部の表面色を視認可能としたことを特徴とするグリップを有した筆記具。
【請求項２】
前記軸筒の把持部と前記内グリップと外グリップとを互いの接触面において密着させ、前記内グリップに形成した貫通孔を、前記軸筒の把持部の表面と前記外グリップの裏面とで密封したことを特徴とする請求項１に記載のグリップを有した筆記具。
【請求項３】
前記内グリップを前記軸筒の把持部に対して回転可能に配設し、該軸筒の把持部に複数の表面色を設けたことを特徴とする請求項１または２に記載のグリップを有した筆記具。
【発明の詳細な説明】
【技術分野】
【０００１】
本発明は、軸筒の把持部にグリップを有した筆記具に関するもので、さらに詳しくは、グリップが軟質材からなる外グリップと内グリップとの二重構造であるものに関する。
【背景技術】
【０００２】
従来より筆記具では、軸筒の把持部に滑り止め部材（グリップ）を配することで、筆記時の操作性や握った時の感触を向上させた構造が多く採用されている。また、そのグリップの側面に貫通孔を設け、軸筒の表面に形成した突状部を前記グリップの貫通孔に挿通して、グリップの色と軸筒の突状部の色との違いにより、装飾効果を得られる構造としたものがある（特許文献１参照）。また、前記の軸筒に形成した突状部をグリップの側面に形成した貫通孔に対して、該突状部の表面をグリップの表面より凹んだ状態に配することで、装飾効果の増大と、グリップを指で握った時の滑り止め効果が得られる構造としたものもある（特許文献２参照）。
【特許文献１】「実公平５−４５５０９号公報」
【特許文献２】「特開平１１−２０８１７６号公報」
【発明の開示】
【発明が解決しようとする課題】
【０００３】
しかしながら、特許文献１に記載されている内容のものでは、軸筒に形成した突状部がグリップの表面と同一面であることから、グリップを握った指に突状部の表面が接触して感触が悪くなる場合があった。特にグリップが軟質材からなる場合には、グリップに指がめり込み、結果的に硬い軸筒の突状部に指が当接して不快に感じるという問題が発生しやすい。また、特許文献２に記載されている内容のものでは、グリップの表面から軸筒の突状部の表面までの深さが浅い場合には、前述の特許文献１と同じくグリップを握った指に軸筒の突状部が触れて不快に感じるという問題があり、また、グリップの表面から軸筒の突状部の表面までの深さが深い場合には、グリップにおける凹んだ部分にゴミやホコリが溜まりやすいという別の問題が発生した。
【０００４】
本発明はこうした問題を鑑みて、グリップに装飾的な効果を与えると共に、グリップを把持した指に固いものが当接して不快に感じることがなく、またグリップにゴミやホコリが溜まることのない構造とすることを目的とする。
【課題を解決するための手段】
【０００５】
本発明は、
「１．軸筒の把持部にグリップを有した筆記具であって、前記グリップを、前記軸筒の把持部の表面色と異なる色で軟質材からなる内グリップと、該内グリップに被覆した透明性を有する軟質材からなる外グリップとの二重構造とし、前記内グリップの側面に形成した貫通孔より前記軸筒の把持部の表面色を視認可能としたことを特徴とするグリップを有した筆記具。
２．前記軸筒の把持部と前記内グリップと外グリップとを互いの接触面において密着させ、前記内グリップに形成した貫通孔を、前記軸筒の把持部の表面と前記外グリップの裏面とで密封したことを特徴とする１項に記載のグリップを有した筆記具。
３．前記内グリップを前記軸筒の把持部に対して回転可能に配設し、該軸筒の把持部に複数の表面色を設けたことを特徴とする１項または２項に記載のグリップを有した筆記具。」である。
【０００６】
本発明の軟質材とは、弾性変形可能なシリコンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップとして一般的に知られている弾性体の中から適宜選定すればよい。また、内グリップおよび外グリップは、同一の種類でも異なる種類の軟質材であってもよく、硬度も内グリップと外グリップを同一硬度、または異なる硬度としてもよいが、低硬度のグリップは、経時によって膨潤しやすいので、指で直接握られる外グリップではなく内グリップの硬度を低くすることが好ましい。また２項における構造では、軸筒の把持部と内グリップおよび外グリップとの密着性をよくするために、内グリップの内径は軸筒の把持部の外径と、外グリップの内径は内グリップの外径と等しいか若干小さくするとよい。また３項における構造では、軸筒の把持部に例えば複数色からなる縞模様や格子模様あるいは水玉模様などを設けることができる。
【発明の効果】
【０００７】
本発明では、内グリップに形成した貫通孔から露出される軸筒の把持部の表面色を、透明な外グリップを透して見ることができ、内グリップの表面色とその奥にある軸筒の把持部の表面色の違いで、内グリップに形成した貫通孔の外形形状で奥行きを有する模様として構成することができ、且つ内グリップの貫通孔が外グリップに被覆されることから、貫通孔内にゴミやホコリが溜まることがない。また、外グリップが軟質材であることから、グリップを握った際に外グリップが内グリップの貫通孔の内側へ撓むことで、さらなる滑り止めとしての効果を持たせることができる。さらに貫通孔を気密空間とすることにより、グリップを握った指が貫通孔内の空気を圧縮するので、グリップに別の感触の変化を持たせることも可能となる。さらに軸筒の把持部に複数の表面色を設け、内グリップを回転させることで、内グリップの貫通孔から露出される色の変化を楽しむことができるものとなる。
【発明を実施するための最良の形態】
【０００８】
次に図面を参照しながら、本発明のグリップを有した筆記具の実施例の説明を行うが、本発明は以下の実施例に限定されるものではない。図中の同じ部材、同じ部品については、同じ符号としてある。
【０００９】
図１は本実施例におけるボールペンの全体図である。ボールペン１は軸筒２の把持部３にグリップ４を配してある。グリップ４は、透明な軟質シリコンゴムからなる筒状の外グリップ５と、白色の軟質シリコンゴムからなる筒状の内グリップ６との二重構造としてある。グリップ４の前方には口金７を配し、後方には透明な後軸８と該後軸８に内在する内筒９とを配し、口金７と内筒９とは内グリップ６に挿通した連結筒１０で連結してある。また内グリップ６の側面には、縦方向に連続する３つのハート形状の貫通孔６ａを形成してあり、貫通孔６ａから連結筒１０の表面１０ａを露出させている。図示しないがハート形状の貫通孔６ａは軸対象に裏側にも設けてある。
【００１０】
図２は図１の前方部の分解図である。連結筒１０は、後方に大径部１０ｂを有し、該大径部１０ｂを二分する位置に鍔部１０ｃを形成し、大径部１０ｂの前方に小径部１０ｄを設けてある。図に示す通り、連結筒１０の小径部１０ｄは内グリップ６に挿通し、内グリップ６は外グリップ５に挿通させている。尚、軸筒２の後端部には筆記先端１１の出没を行うためのノック体１２を配設してある。また、本実施例では、連結筒１０の小径部１０ｄの表面１０ａに、軸心に沿った方向に色分けした赤色部分１３と青色部分１４とを着色してあり、図中においては模式的にハッチングで色の領域を区画してある。図１に示す状態のボールペン１では、ハート形状の貫通孔６ａから連結筒１０の赤色部分１３が露出され、白地に赤色のハート形状の模様が透明な外グリップ５を透して見ることができた。また、白色の内筒９には赤色の４つのハート形状の印刷部９ａを設けてあり、透明な後軸８を透して見ることができる。尚、貫通孔６ａから見える赤色のハートは、内グリップ６の側壁の肉厚分だけ奥行きを持っている。図３は内グリップ６を回転させた状態の図である。内グリップ６を矢印Ａ方向に回転させることで、ハート形状の貫通孔６ａを連結筒１０の青色部分１４の位置まで回して、白地に青色のハート形状を見ることができた。
【００１１】
図４は本実施例の要部断面図である。本実施例では、外グリップ５と内グリップ６と連結筒１０との接触面を互いに密着させており、貫通孔６ａ内を気密空間とし、グリップ４を握った指が貫通孔６ａ内の空気を圧縮する構造としてある。また、前記各部材の密着性を向上させるために、内グリップ６の内径は連結筒１０の小径部１０ｄの外径より若干小さくし、外グリップ５の内径は内グリップ６の外径より若干小さくし、さらに口金７の雌螺子部７ａに連結筒１０の先端の雄螺子部１０ｅを螺合させることで、連結筒１０の鍔部１０ｃと口金７とでグリップ４を挟持して気密性を向上させている。本実施例ではグリップ４を指で握った際に、外グリップ５が内側に撓んで貫通孔６ａの部分が凹む構造である。また図５に示すように口金７を連結筒１０から螺脱させると、内グリップ６を回転しやすくなる。
【産業上の利用可能性】
【００１２】
本願発明によるグリップを有した筆記具は、筆記具以外にも化粧具や塗布具等の構造に用いることが可能である。
【図面の簡単な説明】
【００１３】
【図１】本実施例におけるボールペンの全体図である。
【図２】図１の前方部の分解図である。
【図３】内グリップを回転させた状態の図である。
【図４】本実施例の要部断面図である。
【図５】口金を連結筒から螺脱した状態を示す図である。
【符号の説明】
【００１４】
１…ボールペン、２…軸筒、３…把持部、４…グリップ、５…外グリップ、
６…内グリップ、６ａ…貫通孔、７…口金、７ａ…雌螺子部、
８…後軸、９…内筒、９ａ…印刷部、
１０…連結筒、１０ａ…表面、１０ｂ…大径部、１０ｃ…鍔部、１０ｄ…小径部、
１０ｅ…雄螺子部、１１…筆記先端、１２…ノック体、
１３…赤色部分、１４…青色部分。
【図１】
2008230180.tif 000003
【図２】
2008230180.tif 000004
【図３】
2008230180.tif 000005
【図４】
2008230180.tif 000006
【図５】
2008230180.tif 000007